(57)【要約】【課題】  玉が払い出されたことを遊技者に効果的に伝えることができるとともに、玉の払出しの演出効果が高められる玉受け皿を備えたパチンコ遊技機の提供である。【解決手段】  パチンコ遊技機１００において、遊技盤１の遊技領域１ａに形成された入賞口（始動入賞口３，大入賞口４）に玉が入賞することによって払い出された賞球が上皿１１に受け入れられる。上皿１１に受け入れられた玉がオーバーフローすると、下皿１２に払い出される。下皿１２の内壁面１３を、開口１３ａから底部１３ｂに向かうほど連続的に縮径するすり鉢状に形成することにより、下皿１２の内壁面１３に放出された玉が、下皿１２の内壁面１３を転動しながら、グルグルと螺旋状に流下するため、遊技者が玉の払出しを視覚的に認識できるとともに、玉の払出しの演出効果が高められる。【選択図】  図５
2008289536.tif 000002
【特許請求の範囲】
【請求項１】
遊技領域に設けられた複数の入賞口と、
前記入賞口への玉の入賞を検出する検出手段と、
前記検出手段が玉の入賞を検出すると、所定数の玉を賞球として払い出す払出し手段と、
前記賞球を受け入れて貯留する玉受け皿と、を備え、
前記玉受け皿の内壁面は、上方の開口から下方の底部に向かうにつれて連続的又は断続的に開口面積が減少する形態を少なくとも部分的に有するように形成されており、前記賞球が前記玉受け皿の内壁面に放出されて転動しながら周回するとき、前記開口を介して玉の流れを遊技者が視認可能であることを特徴とするパチンコ遊技機。
【請求項２】
前記玉受け皿の内壁面が前記底部ほど連続的に縮径するすり鉢状に形成されている場合、前記玉受け皿の開口に臨む放出樋から前記玉受け皿の内壁面に沿って放出された玉は、その内壁面を所定時間又は所定周回数にわたり、螺旋状の軌跡を描いて流下し、前記玉受け皿の底部に貯留されることを特徴とする請求項１に記載のパチンコ遊技機。
【請求項３】
前記放出樋の先端開口は、前記玉受け皿の内壁面でその底面と交差する面内に配置されていて、かつ前記放出樋の先端部が、玉の放出方向を前記玉受け皿の内壁面周縁の接線方向に沿わせて配置されていることを特徴とする請求項１又は２に記載のパチンコ遊技機。
【発明の詳細な説明】
【技術分野】
【０００１】
本発明は、パチンコ遊技機に関するものであり、更に詳細には、パチンコ遊技機の玉受け皿に関するものである。
【背景技術】
【０００２】
パチンコ遊技機の遊技領域には複数の入賞口が設けられており、遊技者によって遊技領域に打ち込まれたパチンコ玉（以下、「玉」と記載する）がいずれかの入賞口に入賞すると、あらかじめ設定された数の玉が払い出されるようになっている。遊技機の玉受け皿については、例えば特許文献１に開示される技術が存している。
【０００３】
従来のパチンコ遊技機には、上皿と下皿とが設けられているものがある。入賞口に入賞して払い出された玉は上皿に受け入れられて、そのまま発射装置に導かれるとともに、上皿に入りきらなくなった玉は下皿に導かれて貯留される。また、発射装置によって打たれたが、遊技領域に到達せずに落下した玉（戻り玉）も下皿に導かれる場合がある。しかし、従来のパチンコ遊技機では、玉がポロポロと払い出されるだけであり、遊技者の興趣を視覚的に引きつけるような構成にはなっていない。
【特許文献１】特開２００６−２１２０８５号公報
【発明の開示】
【発明が解決しようとする課題】
【０００４】
本発明は、このような事情に鑑み、玉が払い出されたことを遊技者に効果的に伝えることができるとともに、玉の払出しの演出効果が高められる玉受け皿を備えたパチンコ遊技機を提供することを課題としている。
【課題を解決するための手段及び効果】
【０００５】
上記課題を解決するための本発明のパチンコ遊技機は、
遊技領域に設けられた複数の入賞口と、
前記入賞口への玉の入賞を検出する検出手段と、
前記検出手段が玉の入賞を検出すると、所定数の玉を賞球として払い出す払出し手段と、
前記賞球を受け入れて貯留する玉受け皿と、を備え、
前記玉受け皿の内壁面は、上方の開口から下方の底部に向かうにつれて連続的又は断続的に開口面積が減少する形態を少なくとも部分的に有するように形成されており、前記賞球が前記玉受け皿の内壁面に放出されて転動しながら周回するとき、前記開口を介して玉の流れを遊技者が視認可能であることを特徴としている。
【０００６】
この場合、切り口における断面形状は、円形状又は楕円形状を含む擬似円形状であってもよい。また、前記玉受け皿の内壁面を該玉受け皿の開口と平行な切り口で見たときに、その切り口における内周縁の周長が底部へ向かうほど連続的に又は断続的に短くなるように形成してもよい。
【０００７】
本発明は上記したように構成されているので、玉受け皿に賞球として払い出された玉は、玉受け皿の内壁面を転動しながら周回される。そして、遊技者は、玉受け皿の内壁面を玉が周回している様子を視認することができる。このため、遊技者は、玉が払い出されたことを確実に認識できるとともに、玉が払い出されるときの演出効果が高められ、従来のパチンコ遊技機にはない興趣が遊技者に与えられる。
【０００８】
前記玉受け皿の内壁面が前記底部ほど連続的に縮径するすり鉢状に形成されている場合（或いは、前記玉受け皿の内壁面を該玉受け皿の開口と平行な切り口で見たときに、その切り口における内周縁の周長が底部へ向かうほど短くなるように形成されている場合）、玉受け皿の開口に臨む放出樋から前記玉受け皿の内壁面に沿って放出された玉は、その内壁面を所定時間又は所定周回数にわたり、螺旋状の軌跡を描いて流下し、前記玉受け皿の底部に貯留される。
【０００９】
下皿の内壁面に沿って放出された玉は、所定時間にわたって内壁面に螺旋状の軌跡を描きながら流下される。これにより、遊技者には、実際に払い出された玉よりも多くの玉が払い出されたかのような錯覚を与えることができ、遊技者の遊技意欲が高められる。
【００１０】
そして、前記放出樋の先端開口は、前記玉受け皿の内壁面でその底面と交差する面内（例えば、垂直面内）に配置されていて、かつ前記放出樋の先端部が、玉の放出方向を前記玉受け皿の内壁面周縁の接線方向に沿わせて配置させることができる。
【００１１】
これにより、放出樋から放出される玉が、下皿の内壁面に螺旋状の軌跡を描き易くなり、視覚的な演出効果が高められる。
【発明を実施するための最良の形態】
【００１２】
本発明の実施例のパチンコ遊技機１００について説明する。図１はパチンコ遊技機１００の正面図、図２は前面扉１５を開放した状態のパチンコ遊技機１００の正面図、図３は図２の要部の断面図、図４は下皿１２の平面図、図５は第１及び第２の玉補給路１７，１８の斜視図である。
【実施例１】
【００１３】
最初に、パチンコ遊技機１００について説明する。図１及び図２に示されるように、パチンコ遊技機１００の遊技盤１（図２参照）に形成された遊技領域１ａのほぼ中央部には、液晶ディスプレイより成る図柄表示部２が配置されている。図柄表示部２の下方には、始動入賞口３と大入賞口４とが配置されている。大入賞口４は、アタッカータイプの電動入賞装置で構成されている。また、図柄表示部２の左側には、スルーチャッカー５が配置されているとともに、遊技盤１の下部の両側には、左右のスピーカ６，７が配置されている。そして、遊技盤１の中央最下部には、いずれの入賞口にも入賞しなかったアウト玉を回収するためのアウト口８が設けられている。
【００１４】
遊技盤１の下部には、発射装置９と玉受け皿（本実施例の場合、上皿１１と下皿１２）が設けられている。上皿１１と下皿１２の上面は開口されている。そして、下皿１２の切り口は円形である。上皿１１は、遊技盤１の遊技領域１ａに設けられた始動入賞口３又は大入賞口４に入賞し、賞球として払い出された玉を受け入れて、そのまま発射装置に導く機能を有している。また、下皿１２は、上皿１１に払い出されてオーバーフローした玉を導いて貯留するという機能を有している。下皿１２に貯留された玉は、放出蓋操作部１０（後述）を操作することにより、下皿１２に設けられた蓋（図示せず）から排出される。
【００１５】
図３及び図４に示されるように、本実施例のパチンコ遊技機１００における下皿１２の内壁面１３は、賞球を上方の開口１３ａより受け入れて下方の底部１３ｂに貯留するために、開口１３ａから底部１３ｂに向かうにつれて連続的に縮径する形態となっている。換言すれば、横断面視における下皿１２の周縁部（水平線できったときの周縁部）の周長が、底部１３ｂに向かうほど短くなるすり鉢状（ボウル形状）となっている。即ち、図３における切り口Ｘ１，Ｘ２における内壁面１３の内径をそれぞれＤ１，Ｄ２と、同じく周長をそれぞれＬ１，Ｌ２とすると、Ｄ１＞Ｄ２であり、Ｌ１＞Ｌ２である。そして、下皿１２の奥行き方向の中心Ｐが、パチンコ遊技機１００の前面扉１５の正面の延長面内に配置されている。発射装置９を操作することによって打たれた玉は、玉誘導レール１４に案内されて遊技領域１ａに進入する。なお、図１及び図２において、１５は、パチンコ遊技機１００の前面扉であり、図１は前面扉１５を閉じた状態を示し、図２は前面扉１５を開いた状態を示している。
【００１６】
図２に示されるように、遊技盤１の背面部の上部には、遊技店の島（シマ）に設けられている玉供給路（図示せず）から供給された玉を受け入れて貯留するための玉貯留部１６が取り付けられている。そして、玉貯留部１６の端部から角筒状の第１玉補給路１７が高さ方向にほぼ沿って取り付けられている。図２及び図５に示されるように、第１玉補給路１７の先端部は、上皿１１と接続させるために手前側（遊技者側）に屈曲されていて、当該屈曲部分に上皿連結部１８が形成されている。上皿連結部１８の内幅Ｗ１は、玉（図３において、二点鎖線で示す）の外径の２倍よりも少し大きく、同じく内側高さＨ１は、玉の外径よりも少し大きい。このため、玉貯留部１６から払い出された玉はほぼ２列となって第１玉補給路１７及び上皿連結部１８を流下し、上皿１１に放出される。なお、図２において、１９は、玉貯留部１６から払い出された玉を数えるための払出し玉計数部である。
【００１７】
図３及び図５に示されるように、第１玉補給路１７の下端部の側面部が開口されていて、玉振分け開口２１が設けられている。そして、玉振分け開口２１を覆う形で、角筒状の第２玉補給路２２が高さ方向にほぼ沿って設けられている。第２玉補給路２２の先端部２３は、手前側（遊技者側）に向かって斜めとなるように屈曲されていて、下皿１２の上部における内壁面１３の近傍に配置されている。第２玉補給路２２の先端部２３の内幅Ｗ２と内側高さＨ２は、玉の外径よりも少し大きい。このため、玉貯留部１６から払い出された玉はほぼ１列となって第２玉補給路２２を流下し、下皿１２に放出される。図５において、第１玉補給路１７及び上皿連結部１８における玉の流下方向を矢印２４で示し、第２玉補給路２２における玉の流下方向を矢印２５で示す。
【００１８】
ここで、玉振分け開口２１の底辺部は、上皿連結部１８の底面部よりも少し高い位置に設けられている。このため、通常の遊技状態の場合、玉貯留部１６から払い出された玉は第１玉補給路１７を流下し、上皿連結部１８を通って上皿１１に放出され、第２玉補給路２２に進入することはない。しかし、大当たり状態で大量の玉が払い出され、上皿１１が満杯になっても更に玉が払い出されている場合には、上皿連結部１８にまで収容された玉がオーバーフローして、玉振分け開口２１から第２玉補給路２２に進入し、第２玉補給路２２を流下して下皿１２に放出される。これにより、第１玉補給路１７で玉が停留してしまうことが回避される。
【００１９】
図４ないし図６に示されるように、第２玉補給路２２の先端部２３の開口２３ａは、奥行き方向においては、前面扉１５の正面位置における下皿１２の底部１３ｂと交差する面内（本実施例の場合、垂直面内）に配置されているとともに、左右方向においては、下皿１２の内壁面１３における開口１３ａの近傍に配置されている。また、第２玉補給路２２の先端部２３は、玉の放出方向（矢印２５）を下皿１２の内壁面１３の周縁の接線方向に沿わせて配置されている。このため、第２玉補給路２２を流下してその先端部２３の開口２３ａから下皿１２に放出された玉は、下皿１２の内壁面１３を螺旋状に転動しながら落下される。これにより、遊技者に視覚的な興趣が与えられる。
【００２０】
図５に示されるように、上皿連結部１８の側面部で、第２玉補給路２２の手前側の部分には、戻り玉合流路２６が形成されている。この戻り玉合流路２６の上面は開口されている（開口２６ａ）とともに、背面部で第２玉補給路２２と重なり合っている部分に、第２玉補給路２２と連通する開口２６ｂが設けられている。戻り玉合流路２６は、発射装置９によって打ち込まれたが、何らかの原因（例えば、打込み強さが弱かったこと）で遊技領域１ａに到達せずに玉誘導レール１４を落下した玉（戻り玉）を、開口２６ａを介して戻り玉合流路２６に受け入れ、開口２６ｂから第２玉補給路２２を流下させて下皿１２に放出させるという機能を有している。下皿１２に貯留された玉は、放出蓋操作部１０を左右方向にスライドさせて下皿１２の底に設けられた放出蓋（図示せず）をずらすことによって外部に排出される。
【００２１】
本実施例のパチンコ遊技機１００の作用について説明する。図１ないし図３に示されるように、発射装置９を操作することによって遊技盤１の遊技領域１ａに打ち込まれた玉が、始動入賞口３又は大入賞口４に入賞すると、検出手段（図示せず）によって玉の入賞が検出され、払出し手段（図示せず）によって玉貯留部１６に貯留されている所定数の玉が払い出される。払い出された玉（払出し玉）は第１玉補給路１７を流下し、上皿連結部１８から上皿１１に放出される。玉振分け開口２１の底辺部は、上皿連結部１８の底面部から所定の高さだけ高くなった位置に設けられているため、通常の遊技状態で第１玉補給路１７を流下した払出し玉が、第２玉補給路２２に進入することはない（図５参照）。
【００２２】
上皿１１が満杯状態のときに更に玉が払い出されると、払出し玉は第１玉補給路１７と第２玉補給路２２との接続部にまで滞留する。滞留してオーバーフローした払出し玉は、玉振分け開口２１の底辺部を乗り上げて第２玉補給路２２に進入し、下皿１２に放出される。また、発射装置９によって打ち込まれたが、遊技領域１ａに到達しなかった玉（戻り玉）は、玉誘導レール１４を落下して戻り玉合流路２６に回収され、第２玉補給路２２を流下して下皿１２に放出される。
【００２３】
図３及び図６に示されるように、第２玉補給路２２の先端部２３から放出された玉は、下皿１２の内壁面１３を所定時間にわたって螺旋状に転動しながら落下する。これにより、遊技者は玉が払い出されたことを、下皿１２の開口１３ａを介して確実に視認できるとともに、玉が螺旋状に転動する状況を認識することにより、従来のパチンコ遊技機にはない視覚的な興趣を受け得る。特に、大当たり状態となって多数個の玉が連続して払い出されると、下皿１２の内壁面１３に沿って相当数の玉がグルグルと回り続け、玉の払出しの演出効果が高められるばかりでなく、遊技者は多数個の玉を獲得できることの期待感を一層強く感じ、遊技に対する意欲が向上される。
【００２４】
下皿１２が払出し玉で満杯になると、遊技者は放出蓋操作部１０を操作することにより、玉を玉箱に移すことができる。
【００２５】
遊技者は、なかなか大当たりにかからず遊技しながらも暇を持て余しているとき、下皿１２にいくつか玉を入れ、手で勢いをつけてグルグル回すことで暇をつぶしたり、気を紛らわしたりすることができる。特に、近年、１回の大当たりで払い出される玉の少ないパチンコ遊技機１００が市場に投入されていて、この種のパチンコ遊技機１００では、大当たり状態以外での遊技者のイライラ感が募り易い。しかし、本実施例の下皿１２を採用することで、遊技者には実際に払い出された数よりも多くの玉が払い出されたかのような錯覚を与えることができ、遊技者のイライラ感が解消されて、遊技を楽しむことができるようになる。
【００２６】
本明細書では、下皿１２の内壁面１３が円形であって、その内径（Ｄ１，Ｄ２）及び周長（Ｌ１，Ｌ２）が徐々に短くなる場合について説明した。しかし、下皿１２内径や周長だけでなく、下皿１２の開口面積が、徐々に小さくなる（しかも、内壁面１３の周長が変化しない又は逆に長くなる）場合であっても同様である。そして、下皿１２の開口の断面形状が円形状ではなく、楕円形状を含む擬似円形状であってもよい。
【００２７】
払出し玉が下皿１２に導かれるまでの玉補給路１７，１８の構成は、実施例に限定されるものではなく、ある程度勢いをつけて下皿１２に払出し玉が放出されるものであればよい。
【００２８】
下皿１２の内壁面１３にセンサ（図示せず）を取り付け、下皿１２で玉がグルグルと回転しているとき、回転途中の玉を検出して下皿１２近辺やその他パチンコ遊技機１００のどこか（例えば、遊技領域１ａ）に設けられたランプ等を点灯するようにしてもよい。また、センサで下皿１２の玉を検出し、その検出量（払出し玉の数）に応じて点灯する色を変えたり、点滅パターンを変えたりしてもよい。
【００２９】
上記した実施例では、下皿１２に払い出された玉がグルグル回る場合を説明したが、上皿１１に払い出された玉をグルグル回すようにしてもよい。特に、上皿１１の場合には、大当たりでない通常遊技中の払出し玉をグルグル回す演出を提供することができる。
【図面の簡単な説明】
【００３０】
【図１】パチンコ遊技機１００の正面図である。
【図２】前面扉１５を開放した状態のパチンコ遊技機１００の正面図である。
【図３】図２の要部の断面図である。
【図４】下皿１２の平面図である。
【図５】第１及び第２の玉補給路１７，１８の斜視図である。
【図６】下皿１２に玉を払い出す状態の作用説明図である。
【符号の説明】
【００３１】
１００  パチンコ遊技機
３  始動入賞口（入賞口）
４  大入賞口（入賞口）
１１  上皿（玉受け皿）
１２  下皿（玉受け皿）
１３  内壁面
１３ａ  開口
１３ｂ  底部
１７  第１玉補給路（放出樋）
２２  第２玉補給路（放出樋）
２３  先端部
２３ａ  開口（先端開口）
Ｄ１，Ｄ２  内径（縮径）
Ｘ１，Ｘ２  切り口
【図１】
2008289536.tif 000003
【図２】
2008289536.tif 000004
【図３】
2008289536.tif 000005
【図４】
2008289536.tif 000006
【図５】
2008289536.tif 000007
【図６】
2008289536.tif 000008